(57)【要約】      （修正有）【課題】工具を用いずに脚要素と天板とを結合でき、脚要素と天板とが無用に解体されることを防止し、使用時に脚要素と天板との間に大きな力が加わっても、セキュリティを確保するための部材の損傷を招くことが無いデスクを提供する。【解決手段】第1の結合機構が、天板及び脚要素のいずれか一方に設けた第1係合突起Ｔ１と、他方に設けた第１係合孔とを具備し、前記第1係合突起Ｔ１を受け入れる受入部と、前記第1係合突起Ｔ１が係合する第１係合部とを備えたものであり、第２の結合機構が、天板及び脚要素のいずれか一方に設けた第２係合突起Ｔ２と、他方に設けた第2係合孔とを具備し、且つ、前記第2係合孔が、前記第２係合突起Ｔ２を受け入れる待機部と、前記第２係合突起Ｔ２が係合する第２係合部とを少なくとも備えたものであり、解除防止機構が、少なくとも前記中間動作の逆の動作を禁止すべく脚要素と天板との間に設けられる。【選択図】図６
2006141479.tif 000002
【特許請求の範囲】
【請求項１】
工具を用いることなしに天板と脚要素とを結合するための第1、第2の結合機構を備えるとともに、少なくとも一方の結合機構による結合状態が解除されるのを防止するための解除防止機構を設けたデスクであって、
前記第1の結合機構が、天板及び脚要素のいずれか一方に設けた第1係合突起と、他方に設けた第1係合孔とを具備し、且つ、前記第1係合孔が、天板に脚要素を当接させる初期動作に伴って前記第1係合突起を受け入れる受入部と、前記初期動作と異なった方向に脚要素を天板に対して相対移動させる中間動作に伴って前記第1係合突起が係合する第1係合部とを備えたものであり、
前記第2の結合機構が、天板及び脚要素のいずれか一方に設けた第2係合突起と、他方に設けた第2係合孔とを具備し、且つ、前記第2係合孔が、前記中間動作に伴って前記第2係合突起を受け入れる待機部と、前記第1係合孔に第1係合突起が係合した状態を維持しつつ脚要素を天板に対して相対移動させる最終動作に伴って前記第2係合突起が係合する第２係合部とを少なくとも備えたものであり、
前記解除防止機構が、少なくとも前記中間動作の逆の動作を禁止すべく脚要素と天板との間に設けたものであることを特徴とするデスク。
【請求項２】
工具を用いることなしに天板と脚要素とを結合するための第1、第2の結合機構を備えるとともに、これら結合機構による結合状態が解除されるのを防止するための解除防止機構を設けたデスクであって、
前記第1の結合機構が、天板及び脚要素のいずれか一方に設けた第1係合突起と、他方に設けた第1係合孔とを具備し、且つ、前記第1係合孔が、天板に脚要素を当接させる初期動作に伴って前記第1係合突起を受け入れる受入部と、前記初期動作と異なった方向に脚要素を天板に対して相対移動させる中間動作に伴って前記第1係合突起が係合する第1係合部とを備えたものであり、
前記第2の結合機構が、天板及び脚要素のいずれか一方に設けた第2係合突起と、他方に設けた第2係合孔とを具備し、且つ、前記第2係合孔が、前記中間動作に伴って前記第2係合突起を受け入れる待機部と、前記第1係合孔に第1係合突起が係合した状態を維持しつつ脚要素を天板に対して相対移動させる最終動作に伴って前記第2係合突起が係合する第２係合部とを少なくとも備えたものであり、
前記解除防止機構が、前記最終動作の逆の動作を禁止すべく脚要素と天板との間に設けたものであることを特徴とするデスク。
【請求項３】
脚要素の少なくとも一つが、施錠機構付きの引出し又は扉を備えた袖であり、前記解除防止機構が、引出し又は扉を開錠しないと触れることができない内部位置に設けられている請求項１又は２記載のデスク。
【請求項４】
前記内部位置が、引出し又は扉を開くか或いは取り外した際に、前記解除防止機構を手を差し伸べて操作し得る位置であることを特徴とする請求項３記載のデスク。
【請求項５】
前記解除防止機構が、脚要素又は天板に対して着脱可能なものであることを特徴とする請求項１乃至４いずれか記載のデスク。
【請求項６】
前記解除防止機構が、合成樹脂製のものであることを特徴とする請求項５記載のデスク。
【請求項７】
前記解除防止機構が、基体と、この基体から突出し且つ突出する方向と異なる方向に変位可能な第1爪要素と、この基体から突出し且つ突出する方向と略同一方向に変位可能な第２爪要素とを備えるものであって、
基体を脚要素の頂板の下方に位置付けた後、前記第１爪要素と第２爪要素とを、各爪要素と対応させて前記頂板に設けた貫通孔に挿通させて、それら各爪要素の上端部を貫通孔から頂板の上方に露出させ、さらに、第２爪要素の上端部が、第２爪要素と対応させて前記天板の裏面側に設けた係止孔内に位置付けられるように構成していることを特徴とする請求項１乃至６いずれか記載のデスク。
【請求項８】
前記解除防止機構が、前記頂板に着脱可能に係合保持される１又は複数の被係合保持部を備えていることを特徴とする請求項７記載のデスク。
【請求項９】
対を成す被係合保持部のうちの一方をその取付位置に位置付けた後、他方がその取付位置に位置付けられるように、当該解除防止機構を回動させて、前記頂板に取り付けるように構成していることを特徴とする請求項８記載のデスク。
【請求項１０】
前記第１爪要素と隣接して設けられ、且つ第１爪要素と共に前記貫通孔内に位置付けられ得るように構成した第１爪保護片を備えていることを特徴とする請求項７乃至９いずれか記載のデスク。
【請求項１１】
前記初期動作が、天地を逆さにした天板に対して、天地を逆さにした脚要素を載置する動作であり、
前記中間動作が、天地を逆さにした脚要素を、天地を逆さにした天板の裏面上を滑らすように、且つ、天板の側縁又は端縁と平行な方向に移動させる動作であり、
前記最終動作が、天地を逆さにした脚要素を、天地を逆さにした天板の裏面上を滑らすように、且つ、前記中間動作と異なる方向に移動させる動作であることを特徴とする請求項１乃至１０いずれか記載のデスク。
【請求項１２】
前記最終動作が、天地を逆さにした脚要素を、天地を逆さにした天板の裏面上を滑らすように、且つ、第1係合部を回動中心として回動させる動作であることを特徴とする請求項１１記載のデスク。
【発明の詳細な説明】
【技術分野】
【０００１】
本発明は、工具を用いずに、所定の動作で天板に脚要素を組み付け可能に構成され、且つ、組み付けた状態が解除されることを防止する機構を備えたデスクに関するものである。
【背景技術】
【０００２】
従来から、工具を用いずに、所定の動作で天板に脚要素を組み付けられるようにしたデスクが知られている。
【０００３】
具体的にこの種のデスクは、例えば、天板下面の前部及び後部にそれぞれ設けられる連結孔と、該連結孔に対応する部位において脚要素の上端に突設される段付きピンとの係合によって、天板と脚要素とを連結し、その脚要素間に幕板を介挿して脚要素の天板に対する左右移動を禁止するように構成されている（例えば、特許文献１参照。）。
【０００４】
また、例えば、連結具の係止板を脚要素（天板支持部）の上板に形成した止穴に挿入し、連結具を前後にスライドさせて、該止穴の口縁に係止した後、上方から天板を落とし込んで、該天板の下板に開口した収容部内に連結具のフレームを嵌入して、係止片の上端部外方に突設した爪部を、前記収容部の側板上縁の係止縁に係止させて連結することにより、天板と脚要素とを、結合状態が解除されるのを防止しながら連結するように構成されている（例えば、特許文献２参照。）。
【特許文献１】特許２６７９６２８号公報
【特許文献２】実公平５−２２６４４号公報
【発明の開示】
【発明が解決しようとする課題】
【０００５】
しかしながら、特に特許文献１の構成において、例えば、脚要素として施錠機構付きの引出しを備えた袖を用いている場合には、その施錠をしかっり行っていたとしても、幕板を取り外すと脚要素から天板を容易に取り外すことができ、引出しに収容している収容物が容易に露出してしまうといったセキュリティ上の問題点を有している。
【０００６】
また、使用時に、脚要素と天板との間に大きな力が加わると、脚要素と天板との結合状態が解除されるのを防止しながら連結している解除防止機構（連結具）に大きな負荷がかかり、解除防止機構の損傷を招いていしまう等といった問題点を有している。
【０００７】
本発明は、このような課題に着目してなされたものであって、主たる目的は、工具を用いずに脚要素と天板とを結合できつつも、脚要素と天板とが無用に解体されることを防止してセキュリティを確保でき、又、使用時に脚要素と天板との間に大きな力が加わっても、セキュリティを確保するための部材の損傷を招くことが無いといった、優れたデスクを提供することにある。
【課題を解決するための手段】
【０００８】
すなわち、本発明のデスクは、工具を用いることなしに天板と脚要素とを結合するための第1、第2の結合機構を備えるとともに、少なくとも一方の結合機構による結合状態が解除されるのを防止するための解除防止機構を設けたデスクであって、前記第1の結合機構が、天板及び脚要素のいずれか一方に設けた第1係合突起と、他方に設けた第1係合孔とを具備し、且つ、前記第1係合孔が、天板に脚要素を当接させる初期動作に伴って前記第1係合突起を受け入れる受入部と、前記初期動作と異なった方向に脚要素を天板に対して相対移動させる中間動作に伴って前記第1係合突起が係合する第1係合部とを備えたものであり、前記第2の結合機構が、天板及び脚要素のいずれか一方に設けた第2係合突起と、他方に設けた第2係合孔とを具備し、且つ、前記第2係合孔が、前記中間動作に伴って前記第2係合突起を受け入れる待機部と、前記第1係合孔に第1係合突起が係合した状態を維持しつつ脚要素を天板に対して相対移動させる最終動作に伴って前記第2係合突起が係合する第２係合部とを少なくとも備えたものであり、前記解除防止機構が、少なくとも前記中間動作の逆の動作を禁止すべく脚要素と天板との間に設けたものであることを特徴とする。
【０００９】
このようなものであれば、工具を用いずに、第１、第２の結合機構によって天板と脚要素とを結合することができる上、解除防止機構によって少なくとも一方の結合機構による係合状態が解除されることが防止され、また、デスク使用中に解除防止機構にせん断力が作用しないため、解除防止機構の構造や材質に関する選択の自由度が広がるという効果を奏する。
【００１０】
すなわち、工具を用いずに脚要素と天板とを結合できつつも、脚要素と天板とが無用に解体されることを防止してセキュリティを確保でき、又、使用時に脚要素と天板との間に大きな力が加わっても、セキュリティを確保するための解除防止機構の損傷を招くことが無いといった、優れたデスクを提供することができる。
【００１１】
なお、本発明の望ましい他の態様としては、工具を用いることなしに天板と脚要素とを結合するための第1、第2の結合機構を備えるとともに、これら結合機構による結合状態が解除されるのを防止するための解除防止機構を設けたデスクであって、前記第1の結合機構が、天板及び脚要素のいずれか一方に設けた第1係合突起と、他方に設けた第1係合孔とを具備し、且つ、前記第1係合孔が、天板に脚要素を当接させる初期動作に伴って前記第1係合突起を受け入れる受入部と、前記初期動作と異なった方向に脚要素を天板に対して相対移動させる中間動作に伴って前記第1係合突起が係合する第1係合部とを備えたものであり、前記第2の結合機構が、天板及び脚要素のいずれか一方に設けた第2係合突起と、他方に設けた第2係合孔とを具備し、且つ、前記第2係合孔が、前記中間動作に伴って前記第2係合突起を受け入れる待機部と、前記第1係合孔に第1係合突起が係合した状態を維持しつつ脚要素を天板に対して相対移動させる最終動作に伴って前記第2係合突起が係合する第２係合部とを少なくとも備えたものであり、前記解除防止機構が、前記最終動作の逆の動作を禁止すべく脚要素と天板との間に設けたものであるようにしたものが挙げられる。
【００１２】
このようなものであれば、デスク使用中に解除防止機構にせん断力が作用しないため、解除防止機構の構造や材質に関する選択の自由度が広がるという効果を奏するからである。
【００１３】
ところで、脚要素の少なくとも一つが、施錠機構付きの引出し又は扉を備えた袖であり、前記解除防止機構が、引出し又は扉を開錠しないと触れることができない内部位置に設けられているものであれば、デスク使用中に解除防止機構にせん断力が作用しないため、解除防止機構の構造や材質に関する選択の自由度が広がるという効果に加え、解体及び盗難を防止することができるという効果を奏する。
【００１４】
またこのときの内部位置が、引出し又は扉を開くか或いは取り外した際に、前記解除防止機構を手を差し伸べて操作し得る位置であれば、解除防止機構に対する操作を容易に行える。
【００１５】
また、前記解除防止機構が、脚要素又は天板に対して着脱可能なものであれば、当該解除防止機構の素材の選定や構造など、設計自由度を向上させることができる。
【００１６】
このとき、天板及び脚要素への取り付け及び取り外しを容易に行えるようにするには、前記解除防止機構が、合成樹脂製のものであることが望ましい。
【００１７】
前記解除防止機構の望ましい態様としては、この解除防止機構が、基体と、この基体から突出し且つ突出する方向と異なる方向に変位可能な第1爪要素と、この基体から突出し且つ突出する方向と略同一方向に変位可能な第２爪要素とを備えるものであって、基体を脚要素の頂板の下方に位置付けた後、前記第１爪要素と第２爪要素とを、各爪要素と対応させて前記頂板に設けた貫通孔に挿通させて、それら各爪要素の上端部を貫通孔から頂板の上方に露出させ、さらに、第２爪要素の上端部が、第２爪要素と対応させて前記天板の裏面側に設けた係止孔内に位置付けられるように構成しているものが挙げられる。
【００１８】
また、前記解除防止機構が、前記頂板に着脱可能に係合保持される１又は複数の被係合保持部を備えているのであれば、この被係合保持部を利用して当該解除防止機構を簡単に頂板に取り付けられる。このとき、被係合保持部が対を成すものであり、そのうちの一方をその取付位置に位置付けた後、他方をその取付位置に位置付けられるように、当該解除防止機構を回動させて前記頂板に取り付けるように構成したものであれば、その効果は顕著になる。
【００１９】
第１爪要素が破損することを防止するには、前記第１爪要素と隣接して設けられ、且つ第１爪要素と共に前記貫通孔内に位置付けられ得るように構成した第１爪保護片を備えていることが望ましい。
【００２０】
前記初期動作が、天地を逆さにした天板に対して、天地を逆さにした脚要素を載置する動作であり、前記中間動作が、天地を逆さにした脚要素を、天地を逆さにした天板の裏面上を滑らすように、且つ、天板の側縁又は端縁と平行な方向に移動させる動作であり、前記最終動作が、天地を逆さにした脚要素を、天地を逆さにした天板の裏面上を滑らすように、且つ、前記中間動作と異なる方向に移動させる動作であれば、工具を用いずに非常に単純な動作で、天板と脚要素とを結合することができる。
【００２１】
この場合に、前記最終動作が、天地を逆さにした脚要素を、天地を逆さにした天板の裏面上を滑らすように、且つ、第1係合部を回動中心として回動させる動作であれば、その効果は顕著になる。
【発明の効果】
【００２２】
以上説明したように本発明のデスクによれば、工具を用いずに、第１、第２の結合機構によって天板と脚要素とを結合することができる上、解除防止機構によって少なくとも一方の結合機構による係合状態が解除されることが防止され、また、デスク使用中に解除防止機構にせん断力が作用しないため、解除防止機構の構造や材質に関する選択の自由度が広がるという効果を奏する。
【００２３】
すなわち、工具を用いずに脚要素と天板とを結合できつつも、脚要素と天板とが無用に解体されることを防止してセキュリティを確保でき、又、使用時に脚要素と天板との間に大きな力が加わっても、セキュリティを確保するための解除防止機構の損傷を招くことが無いといった、優れたデスクを提供することができる。
【発明を実施するための最良の形態】
【００２４】
以下、本発明の一実施形態を、図面を参照して説明する。
【００２５】
本発明に係るデスクＡは、図１、図２等に示すように、天板１と、天板１に着脱可能に結合され得る袖２及び脚体３（以下、「脚要素Ａ１」と総称する。）と、天板１と袖２との結合状態が解除されるのを防止するための解除防止機構たるファスナ４と、幕板５と、幕板５の上端部を天板１及び脚要素Ａ１に接続する図示しない一対の上幕板取付部材６と、幕板５の下端部を脚要素Ａ１に接続する一対の下幕板取付部材７とを具備してなる。以下、各部を詳述する。
【００２６】
天板１は、図１、図３、図４、図５等に示すように、略矩形状の面板部１１の前縁、後縁及び側縁が下面側に垂下した構造をなすもので、その下面に、天板１の幅方向に延びるチャンネル状の前部架材１２、後部架材１３及び２本の中間架材１４を添設している。
【００２７】
前部架材１２は、その両端が天板１の側縁に当接し、その前端が天板１の前縁に当接する位置に固設されている。後部架材１３は、その両端が天板１の側縁に当接し、その後端が天板１の後縁から内側へ若干退避した位置に固設されている。中間架材１４は両端が天板１の側縁に当接すると共に、前部架材１２と後部架材１３の間を略等間隔で区分する位置に固設されている。そして、これら架材の下面は略面一にされ、袖２及び脚体３の上端に対する均等な添設状態を確保している。
【００２８】
また、前部架材１２に、左右対称に配されるようにした６つの第１係合孔Ｋ１を形成している。これら６つの第１係合孔Ｋ１のうち、両端からそれぞれ数えて１番目の第１係合孔Ｋ１は脚体３の取り付けに専ら用いるものであり、また、２番目及び３番目の第１係合孔Ｋ１は袖２の取り付けに専ら用いるものである。
【００２９】
各第１係合孔Ｋ１は、肉厚方向に穿設されたもので、図４に示すように、受入部Ｋ１１と第１係合部Ｋ１２とで構成されるダルマ形状を成している。受入部Ｋ１１は、天板１に脚要素Ａ１を当接させる初期動作に伴って、後述する第1係合突起Ｔ１を受け入れるものであり、また、第１係合部Ｋ１２は、前記初期動作と異なる方向に脚要素Ａ１を天板１に対して相対移動させる中間動作に伴って、後述する第1係合突起Ｔ１が係合するものである。
【００３０】
さらに、本実施形態では、両端からそれぞれ数えて２番目と３番目の第１係合孔Ｋ１の間に、係止孔Ｊを設けている。この係止孔Ｊは、第１係合部Ｋ１２と同様、肉厚方向に穿設されたものであって、略矩形状を成している。
【００３１】
また、後部架材１３に、図３に示すように、左右対称に配されるようにした２つの外側第２係合孔Ｋ２と、２つの内側第２係合孔Ｋ３とを形成している。なお、外側第２係合孔Ｋ２は、脚体３又は袖２の取付に用いるものであり、内側第２係合孔Ｋ３は、袖２の取付に専ら用いるものである。
【００３２】
より具体的に、各外側第２係合孔Ｋ２は、肉厚方向に穿設されたもので、図５等に示すように、外側待機部Ｋ２１と外側第２係合部Ｋ２２とで構成されるＬ字状を成している。外側待機部Ｋ２１は、前記中間動作に伴って後述する第２係合突起Ｔ２を受け入れるものであり、また、外側第２係合部Ｋ２２は、前記第１係合孔Ｋ１に後述する第1係合突起Ｔ１が係合した状態を維持しつつ脚要素Ａ１を天板１に対して相対移動させる最終動作に伴って後述する第２係合突起Ｔ２が係合するものである。なお、外側待機部Ｋ２１の前端は、後部架材１３の前面に開口させてある。
【００３３】
各内側第２係合孔Ｋ３は、肉厚方向に穿設されたもので、図５等に示すように、内側待機部Ｋ３１と内側第２係合部Ｋ３２とで構成される直線状を成している。内側待機部Ｋ３１は、前記中間動作に伴って、後述する第２係合突起Ｔ２を受け入れるものであり、また、内側第２係合部Ｋ３２は、前記第１係合孔Ｋ１に後述する第1係合突起Ｔ１が係合した状態を維持しつつ袖２を天板１に対して相対移動させる最終動作に伴って、後述する第２係合突起Ｔ２が係合するものである。なお、内側待機部Ｋ３１の前端は、後部架材１３の前面に開口させてある。また、２つの内側第２係合孔Ｋ３を天板１の後端側から見た際に、ハの字状を成すように、各内側第２係合孔Ｋ３を、天板１の後端縁に対して傾斜させている。
【００３４】
袖２は、図１、図６、図７等に示すように、物品を収容可能な３段の引出し２１と、これら引出し２１を出し入れ可能に保持する筐体２２と、筐体２２の各隅部に床と接して天板１の天板面における水平レベル調整をするためのアジャスタ２３とを備えるものであって、中段の引出し２１に設けた鍵穴２１１を利用して施錠すると、全引出し２１を筐体２２より引き出すことができないようにされている。
【００３５】
より具体的には、引出し２１は、上方に開口する直方体状の収納部２１２と、この収納部２１２の前面に設けた鏡板２１３とを具備している。
【００３６】
筐体２２は、図示しない薄板金属板を素材とし、アジャスタ２３を下方から取り付け得るアジャスタ取付部２２１ａを各隅部に設けた平面視略矩形状の底板２２１と、この底板２２１の左右各側縁からそれぞれ一体に屈曲起立させた一対の側板２２２と、同様に前記底板２２１の後縁から屈曲起立させた後板２２３と、左右一対の側板２２２の前縁側同士間に横架させた前側頂板２２４と、左右一対の側板２２２の後縁側同士間に横架させた後側頂板２２５とからなる略直方体形状を成すもので、引出し２１を出し入れ可能に保持できるよう、その前方は開口させてある。
【００３７】
前側頂板２２４は、図６、図７、図１０に示すように、断面視略下向きコ字状を有するものであって、平面視略矩形状の頂壁要素２２４１と、この頂壁要素２２４１の前端縁及び後端縁からそれぞれ垂下させた前壁要素２２４２及び後壁要素２２４３とを備えてなる。そして、前壁要素２２４２の下端部を内側に向けて略直角に屈曲させるとともに、後壁要素２２４３の下端部を外側上方に向けて略４５度に屈曲させてある。
【００３８】
また、前側頂板２２４の左右両端側には、前記第１係合部Ｋ１２と係合可能な第1係合突起Ｔ１をそれぞれ１個ずつ設けている。この第1係合突起Ｔ１は、天板１の第１係合部Ｋ１２の径よりも小径な第１軸部Ｔ１１と、天板１の受入部Ｋ１１を通過可能で且つ第１係合部Ｋ１２よりも大径な第１頭部Ｔ１２とから構成されており、第１軸部Ｔ１１の突出寸法は天板１の前部架材１２の肉厚に略等しいか僅かに大きい値に設定してある。
【００３９】
加えて本実施形態では、前側頂板２２４の略中央部には、その裏面側から、後述するファスナ４の第１、第２爪要素４４を差し込むための３つの貫通孔Ｘを設けている。３つの貫通孔Ｘのうち、前側頂板２２４の後端に沿うように配した２つの貫通孔Ｘ（以下、「後端側貫通孔ＸＢ」と称する。）は、互いに同一の形状を有する平面視略矩形状のものであり、これに第1爪要素４２が差し込まれる。また、前側頂板２２４の前端に沿うように配した貫通孔Ｘ（以下、「前端側貫通孔ＸＦ」と称する。）は、前記後端側貫通孔ＸＢよりも若干拡開させた平面視略矩形状のものであり、これに第２爪要素４４が差し込まれる。
【００４０】
さらに、後側頂板２２５の左右両端側には、外側第２係合部Ｋ２２又は内側第２係合部Ｋ３２と係合可能な第２係合突起Ｔ２をそれぞれ１個ずつ設けている。この第２係合突起Ｔ２は、天板１の外側第２係合部Ｋ２２及び内側第２係合部Ｋ３２の幅よりも小径な第２軸部Ｔ２１と、外側待機部Ｋ２１及び内側待機部Ｋ３１を通過可能で且つ天板１の外側第２係合部Ｋ２２及び内側第２係合部Ｋ３２の幅よりも大径な第２頭部Ｔ２２とから構成されており、第２軸部Ｔ２１の突出寸法は天板１の後部架材１３の肉厚に略等しいか僅かに大きい値に設定してある。
【００４１】
脚体３は、図１、図２に示すように、偏平筐状の脚支柱３１に上部ステー３２及び下部ステー３３を一体に固設した側面視略コ字状を成すもので、前記上部ステー３２の上面で天板１を添設支持するようにしている。
【００４２】
上部ステー３２の上面の前端側には、天板１の第１係合部Ｋ１２と係合可能な図示しない第1係合突起Ｔ１を設け、後端側には、天板１の外側第２係合部Ｋ２２と係合可能な図示しない第２係合突起Ｔ２を設けている。なお、脚体３に設けたこれら第1係合突起Ｔ１及び第２係合突起Ｔ２は、袖２に設けたものと同様の構成であるので説明を省略する。
【００４３】
ファスナ４は、図８、図９等に示すように、平面視略矩形状のファスナ本体部４１１とこのファスナ本体部４１１の一側縁から互いに平行に延びる一対の延出部４１２とから成る平面視略コ字状の基体４１と、前記ファスナ本体部４１１の上向き面から上方側に向けて突出する一対の第1爪要素４２と、各第1爪要素４２にそれぞれ隣接して設けられる第１爪保護片４３と、前記一対の延出部４１２の間に配されるようにファスナ本体部４１１の一側縁から延出する第２爪要素４４とを備えるものであって、例えば、ポリアミド等の弾性のある合成樹脂によりこれら各部を一体に形成してなり、且つ、前記最終動作を逆の動作を禁止すべく、袖２と天板１との間に着脱可能に設られるものである。なお、本実施形態では、延出部４１２と第２爪要素４４との間に、第２爪要素４４が延出部４１２に対して近づいたり遠ざかったりすることを防止し且つ上下方向の弾性力を増すための断面視略Ｕ字状の姿勢維持部４５を備えるようにしている。この姿勢維持部４５は、図示しない薄板金属板を素材とし、延出部４１２と第２爪要素４４とに後加工で取り付けるようにしているが、この姿勢維持部４５を、延出部４１２等と同一素材で一体に形成することを妨げない。
【００４４】
より具体的に各部を説明すると、ファスナ本体部４１１は、下側を開口させた断面視下向きコ字状のものである。
【００４５】
延出部４１２は、その先端側の下縁部に沿って断面視略Ｌ字状に肉ぬすみをした段部４１２Ｄを設けている。この段部４１２Ｄが、当該ファスナ４を前側頂板２２４に着脱可能に係合保持される被係合保持部として機能する。
【００４６】
第1爪要素４２は、断面視略下向きコ字状のものであって、ファスナ本体部４１１の上向き面から屈曲起立した起立片４２１と、この起立片４２１の先端から水平方向に屈曲した水平片４２２と、この水平片４２２の先端から下方に向けて垂下した垂下片４２３とを備えてなる。そして、本実施形態では、垂下片４２３の上端部から下端側に向けて当該垂下片４２３の厚みを増大させるように外方に漸次膨出する断面視略三角形状のテーパ部４２３Ｔを備えている。このテーパ部４２３Ｔの下向面が、当該ファスナ４を前側頂板２２４に着脱可能に係合保持される被係合保持部として機能する。なお、水平片４２２の先端側及び垂下片４２３は、スリットにより、第１爪保護片４３と分離されているので、例えば、垂下片４２３の下端側が、ファスナ本体部４１１の上向き面に沿う方向より外力を受けると、その方向に変位する。
【００４７】
第１爪保護片４３は、側面視略矩形状を成し、前記第1爪要素４２の起立片４２１及び水平片４２２の基端側に連続して設けらるものであって、高さ寸法４３ｈ及び幅寸法４３ｗを、前記第1爪要素４２と略一致させている。
【００４８】
なお、第1爪要素４２と第１爪保護片４３とが、前側頂板２２４の後端側貫通孔ＸＢに挿通される様に構成している。
【００４９】
第２爪要素４４は、ファスナ本体部４１１の一側縁から伸びる平面視略矩形状の支持片４４１と、この支持片４４１から屈曲起立した後、先端部側が基体４１の上方側に向けて漸次膨出させた膨出部４４２と、前記支持片４４１と略面一な位置に配され且つ前記膨出部４４２の先端側下端縁に沿って突設させた鍔部４４３とを備えている。そして、この膨出部４４２が、上方又は下方より外力を受けると、その外力を受けた方向に変位する。また、この膨出部４４２は、前側頂板２２４の前端側貫通孔ＸＦに挿通された後、天板１の裏面側に設けた係止孔Ｊ内に位置付けられる様に構成している。
【００５０】
幕板５は、スチール製のもので、図１、図２に示すように、両端が、脚体３及び袖２の内面に添設し、上端が天板１の後部架材１３の下面に添設し得る位置に配されてなり、その上端部及び下端部を、合成樹脂製の上幕板取付部材６及び下幕板取付部材７によって、脚体３及び袖２に着脱可能に取り付けられている。
【００５１】
以下、デスクＡの組立方法を具体的に説明する。
【００５２】
（１）天板１への袖２の筐体２２の取り付け
まず、天板１を裏返した状態で図示しない床等に置く。そして、天地を逆にした袖２の筐体２２を、袖２の筐体２２の第1係合突起Ｔ１と天板１の受入部Ｋ１１とが対向するように、天板１に対して位置付けた後、当該袖２の筐体２２を天板１に当接させるべく載置する。すると、袖２の筐体２２の第1係合突起Ｔ１が天板１の受入部Ｋ１１に挿入される。この動作が、「初期動作」に相当する。
【００５３】
次に、図１１に示すように、袖２の筐体２２を、天板１の前側から後側に向けてスライド移動させると、袖２の筐体２２の第1係合突起Ｔ１が天板１の第１係合部Ｋ１２に係合され、これら第1係合突起Ｔ１と第１係合部Ｋ１２とが、第1の結合機構ＡＸとして機能する状態になり、また、袖２の筐体２２の２つの第２係合突起Ｔ２が、内側待機部Ｋ３１及び外側待機部Ｋ２１に受け入れられる。この動作が、「中間動作」に相当する。
【００５４】
さらに、図１１に示すように、袖２の筐体２２を、第1係合突起Ｔ１が第１係合孔Ｋ１に係合した状態を維持しつつ、第１係合部Ｋ１２を回動中心として天板１裏面を沿うように回動動作させると、袖２の筐体２２の２つの第２係合突起Ｔ２が、外側第２係合部Ｋ２２及び内側第２係合部Ｋ３２に係合し、これら第２係合突起Ｔ２と内側第２係合部Ｋ３２とが、第２の結合機構ＡＹとして機能する状態になる。この動作が、「最終動作」に相当する。
【００５５】
（２）天板１への脚体３の取り付け
まず、天地を逆にした脚体３を、脚体３の第1係合突起Ｔ１と天板１の受入部Ｋ１１とが対向するように、裏返した状態の天板１に対して位置付けた後、当該脚体３を天板１に当接させるべく載置する。すると、脚体３の第1係合突起Ｔ１が天板１の受入部Ｋ１１に挿入される。この動作が、「初期動作」に相当する。
【００５６】
次に、図１２に示すように、脚体３を、天板１の前側から後側に向けてスライド移動させると、脚体３の第1係合突起Ｔ１が天板１の第１係合部Ｋ１２に係合され、これら第1係合突起Ｔ１と第１係合部Ｋ１２とが、第1の結合機構ＡＸとして機能する状態になり、また、脚体３の第２係合突起Ｔ２が、外側待機部Ｋ２１に受け入れられる。この動作が、「中間動作」に相当する。
【００５７】
さらに、図１２に示すように、脚体３を、第1係合突起Ｔ１が第１係合孔Ｋ１に係合した状態を維持しつつ、第１係合部Ｋ１２を回動中心として天板１裏面を沿うように回動動作させると、脚体３の第２係合突起Ｔ２が、外側第２係合部Ｋ２２に係合され、これら第２係合突起Ｔ２と外側第２係合部Ｋ２２とが、第２の結合機構ＡＹとして機能する状態になる。この動作が、「最終動作」に相当する。
【００５８】
なお、この脚体３の取り付け（２）は、袖２の筐体２２の取り付け（１）よりも先に行ってもよい。
【００５９】
（３）幕板５の取り付け
上述のようにして、天板１に袖２の筐体２２及び脚体３を取り付けた後、幕板５を、袖２の筐体２２及び脚体３の内面間に横架させる位置に取り付け固定する。
【００６０】
（４）ファスナ４の取り付け
天地を逆にしたファスナ４を、袖２の筐体２２の開口を介して袖２の前側頂板２２４に近付ける。なお、この取付位置は、手を差し伸べて容易に届く範囲にあるので、特別な工具を用いる必要はなく、手で簡単に取り付けられる。そして、図１０想像線で示すように、ファスナ４の第1爪要素４２と第２爪要素４４とを、それぞれ前側頂板２２４の後端側貫通孔ＸＢと前端側貫通孔ＸＦとに対応する位置に位置付けた後、ファスナ４の延出部４１２の段部４１２Ｄを、前側頂板２２４の前壁要素２２４２の下端部に係止させる。そして、段部４１２Ｄが係止されている箇所を回動軸として、当該ファスナ４を前側頂板２２４へ取り付ける向きに回動させると、第1爪要素４２のテーパ部４２３Ｔは、後端側貫通孔ＸＢに係合され、また、ファスナ４の第２爪要素４４の膨出部４４２は、前壁要素２２４２の前端側貫通孔ＸＦ内を通りながら、天板１の係止孔Ｊ内に位置付けられる（図１０参照。）。
【００６１】
（５）その他
以上のようにして組み立ててきたものを、天地が正常となるように戻し、引出し２１を取り付ける。そして、引出し２１に設けた鍵穴２１１を利用して施錠を行うと、ファスナ４を取り外すことができなくなり、たとえ幕板５を取り外して、天板１と袖２との結合を解除しようとしても、ファスナ４がこれを妨げるように機能する。
【００６２】
具体的には、ファスナ４を取り付けた状態では、ファスナ４の膨出部４４２は天板１の係止孔Ｊ内に位置付けられている。この状態で、袖２の筐体２２を、最終動作で行った回動動作と反対の方向に回動すると、天板１の係止孔Ｊ内にあるファスナ４の膨出部４４２がその係止孔Ｊに当接する。
【００６３】
したがって、幕板５を取り外しても、このファスナ４を取り外さない限り、袖２の筐体２２は、最終動作で行った回動動作と反対の方向に回動することを、ファスナ４によって妨げられるので、天板１と袖２との係合状態が解除されることを防止できる。
【００６４】
このように、本実施形態に係るデスクＡによれば、工具を用いずに、第１、第２の結合機構ＡＹによって天板１と脚要素Ａ１とを結合することができる上、ファスナ４によって袖２と天板１との係合状態が解除されることを防止できる。また、デスクＡ使用中にファスナ４にせん断力が作用しないため、ファスナ４の構造や材質に関する選択の自由度が広がるという効果を奏する。
【００６５】
すなわち、工具を用いずに脚要素Ａ１と天板１とを結合できつつも、ファスナ４によって袖２と天板１とが無用に解体されることを防止してセキュリティを確保でき、又、使用時に脚要素Ａ１と天板１との間に大きな力が加わっても、ファスナ４の損傷を招くことが無いといった、優れたデスクＡを提供することができる。
【００６６】
ところで、脚要素Ａ１の一つに、施錠機構付きの引出し２１を備えた袖２とし、ファスナ４を、引出し２１を開錠しないと触れることができない内部位置に設けているので、デスクＡ使用中にファスナ４にせん断力が作用せず、また、ファスナ４の構造や材質に関する選択の自由度が広がるという効果に加え、解体及び盗難を防止することができるという効果を得られる。また、その内部位置は、引出し２１を開くか取り外せば、手を差し伸べて操作し得る位置に設定されているので、ファスナ４に対する操作が必要なときには、特別な工具を用いずに、これに手を差し伸べて容易に操作できる。
【００６７】
また、ファスナ４を、袖２及び天板１に対して着脱可能にしているので、当該ファスナ４の素材の選定や構造など、設計自由度を向上させることができる。
【００６８】
また、ファスナ４を弾性のある合成樹脂製のものとしているので、天板１及び袖２への取り付け及び取り外しを容易に行える。
【００６９】
また、第1爪要素４２と隣接して設けられ、且つ第1爪要素４２と共に前記貫通孔Ｘ内に位置付けられ得るように構成した第１爪保護片４３を備えているので、第1爪要素４２が破損することを防止することができる。
【００７０】
前記初期動作が、天地を逆さにした天板１に対して、天地を逆さにした脚要素Ａ１を載置する動作であり、前記中間動作が、天地を逆さにした脚要素Ａ１を、天地を逆さにした天板１の裏面上を滑らすように、且つ、天板１の側縁又は端縁と平行な方向に移動させる動作であり、前記最終動作が、天地を逆さにした脚要素Ａ１を、天地を逆さにした天板１の裏面上を滑らすように、且つ、第１係合部Ｋ１２を回動中心として回動させる動作としているので、工具を用いずに非常に単純な動作で、天板１と脚要素Ａ１とを結合することができる。
【００７１】
なお、本発明は、以上に詳述した実施形態に限られるものではない。
【００７２】
例えば、脚要素Ａ１として、施錠機構付きの引出し２１を備えた袖２と脚体３とを用いているが、この脚体３に替えて同様の袖２を用いるようにしてもよい。
【００７３】
また、袖２の引出し２１を、施錠機構付きの扉に替えることもできる。ただしこのとき、ファスナ４は、扉を開錠しないと触れることができない内部位置に設けられている必要がある。
【００７４】
ファスナ４の構造や材質も本実施形態のものに限られるものではない。
【００７５】
また、ファスナ４が、最終動作の逆の動作を禁止すべく袖２と天板１との間に設けているが、前記中間動作の逆の動作を禁止すべく袖２と天板１との間に設けるようにしてもよい。
【００７６】
その他、各部の具体的構成についても上記実施形態に限られるものではなく、本発明の趣旨を逸脱しない範囲で種々変形が可能である。
【図面の簡単な説明】
【００７７】
【図１】本発明の一実施形態に係るデスクを示す全体斜視図。
【図２】本発明の一実施形態に係るデスクを天地を逆にして示す全体斜視図。
【図３】同実施形態における天板の裏面側を示す図。
【図４】同実施形態における天板の後側要部の拡大斜視図。
【図５】同実施形態における天板の前側要部の拡大斜視図。
【図６】同実施形態における袖を見下ろした斜視図。
【図７】同実施形態における袖の前側要部の拡大斜視図。
【図８】同実施形態におけるファスナの全体斜視図。
【図９】同実施形態におけるファスナの平面図、側面図、断面図。
【図１０】同実施形態におけるファスナの取付方法を説明するための説明図。
【図１１】同実施形態における袖の天板への取り付けを模式的に示す図。
【図１２】同実施形態における脚体の天板への取り付けを模式的に示す図。
【符号の説明】
【００７８】
Ａ・・・・・・デスク
Ａ１・・・・・脚要素
ＡＸ・・・・・第1の結合機構
ＡＹ・・・・・第２の結合機構
Ｊ・・・・・・係止孔
Ｋ１・・・・・第１係合孔
Ｋ１１・・・・受入部
Ｋ１２・・・・第１係合部
Ｋ２１・・・・待機部（外側待機部）
Ｋ２２・・・・第２係合部（外側第２係合部）
Ｋ３１・・・・待機部（内側待機部）
Ｋ３２・・・・第２係合部（内側第２係合部）
Ｔ１・・・・・第1係合突起
Ｔ２・・・・・第2係合突起
Ｘ・・・・・・貫通孔
１・・・・・・天板
４・・・・・・解除防止機構（ファスナ）
２１・・・・・引出し
４１・・・・・基体
４２・・・・・第1爪要素
４３・・・・・第１爪保護片
４４・・・・・第２爪要素
２２４・・・・頂板（前側頂板）
４１２Ｄ・・・被係合保持部（段部）
４４２・・・・第２爪要素４４の上端部（膨出部）
【図１】
2006141479.tif 000003
【図２】
2006141479.tif 000004
【図３】
2006141479.tif 000005
【図４】
2006141479.tif 000006
【図５】
2006141479.tif 000007
【図６】
2006141479.tif 000008
【図７】
2006141479.tif 000009
【図８】
2006141479.tif 000010
【図９】
2006141479.tif 000011
【図１０】
2006141479.tif 000012
【図１１】
2006141479.tif 000013
【図１２】
2006141479.tif 000014